(57)【要約】【課題】既設の機器あるいは移動除去できない建造物や構造物が設置対象区域の側方に存在していても、それらに邪魔されたり支障を受けることなく、設置工事を作業性良く行える機器の転倒防止装置を提供する。【解決手段】機器本体の前後方向に沿って配置され、設置床面に固着されるガイドレールと、該ガイドレールの内側に格納され、機器本体の前後方向に沿って移動可能である台車と、前記台車の前後動を制止するストッパーとからなり、前記ガイドレールの上面版部に前後２本の支持脚の軸部が通過可能なスロットを機器本体の前後方向に沿って形成し、前記台車に前記各支持脚の座盤部が載置される載置版部を形成し、前記各座盤部の上面に前記スロットの左右両側にある上面版部の残余部分を対面させる。【選択図】図５
2006146519.tif 000002
【特許請求の範囲】
【請求項１】
機器本体の前後方向に沿って配置され、設置床面に固着されるガイドレールと、該ガイドレールの内側に格納され、機器本体の前後方向に沿って移動可能である台車と、前記台車の前後動を制止するストッパーとからなり、
前記ガイドレールの上面版部に前後２本の支持脚の軸部が通過可能なスロットを機器本体の前後方向に沿って形成し、前記台車に前記各支持脚の座盤部が載置される載置版部を形成し、前記各座盤部の上面に前記スロットの左右両側にある上面版部の残余部分を対面させてなる機器の転倒防止装置。
【発明の詳細な説明】
【技術分野】
【０００１】
本発明は、設置床面に立設された自動販売機等の各種機器が地震等の強い外部振動を受けて転倒する事故を未然に防止する装置に関する。
【背景技術】
【０００２】
一般に自動販売機は、自動販売機本体の底部四隅に装着した支持脚を介して設置床面に立設している。この支持脚は、自動販売機本体の底部四隅の雌ねじ部に螺合されるレベル調整用ねじ軸部と、該軸部下端の六角部に連接された円形状の座盤部とからなり、該六角部に嵌めたスパナで前記軸部を適宜回転させることによって、自動販売機のレベル調整を行なっている。
【０００３】
自動販売機が前方に倒れるのを防止するために種々の改良工夫がなされているが、その一つに転倒防止板を利用するものがある（特許文献１参照）。
この転倒防止板は、前記支持脚の座盤部が載置される部分と、自動販売機本体の下面の領域から前方にはみ出すように延長された部分と、前記座盤部載置用部分より上方に延長され、自動販売機本体の側面にボルト締めによって固着される保持用部分とから構成されている。
【０００４】
しかしながら、このような転倒防止板では、路面上に突き出している前記はみ出し延長部分が歩行者の通行時の障害となるだけでなく、前記保持用部分のボルト締め固着に当たって固着対象側面の側方に十分な作業用空間を確保する必要があるため、当該側方に他の自動販売機が既に据え付けられているとき、あるいは、移動除去できない建造物や構造物があるときには、適用することができなかった。
【０００５】
また、十分な作業用空間が確保できる場合であっても、前記転倒防止板が適用されるのは前後２本の支持脚のうち前方の支持脚周りだけであって、後方の支持脚の周りには転倒防止手段が何も講じられていないので、自動販売機に対して過大な外部振動が加えられたときには、後方の支持脚が設置床面から浮き上がって自動販売機が転倒してしまう危険性があった。
【０００６】
転倒防止板を自動販売機の後方部側面に配置し、転倒防止板の下位水平板部分をアンカーボルトによって設置床面に固着し、転倒防止板の上位水平板部分を自動販売機の側面凹所に挿入し、転倒防止板の中間垂直板部分を自動販売機側面にボルト締め固着するようにした自動販売機の転倒防止装置も提案されている（特許文献２）。
【０００７】
しかしながら、この転倒防止装置においても、下位水平板部分と中間垂直板部分の各ボルト締め固着に当たっては、固着対象側面の側方に十分な作業用空間を確保する必要があるため、当該側方に他の自動販売機が既に据え付けられているとき、あるいは、移動除去できない建造物や構造物があるときには、適用することができなかった。
【０００８】
【特許文献１】特許第３５７５２５４号公報
【特許文献２】特開平９−２２４８３号公報
【発明の開示】
【発明が解決しようとする課題】
【０００９】
本発明の課題は、既設の機器あるいは移動除去できない建造物や構造物が設置対象区域の側方に存在していても、それらに邪魔されたり支障を受けることなく、設置工事を作業性良く行える機器の転倒防止装置を提供することである。
【課題を解決するための手段】
【００１０】
本発明の主たる特徴は、機器本体の前後方向に沿って配置され、設置床面に固着されるガイドレールと、該ガイドレールの内側に格納され、機器本体の前後方向に沿って移動可能である台車と、前記台車の前後動を制止するストッパーとからなり、
前記ガイドレールの上面版部に前後２本の支持脚の軸部が通過可能なスロットを機器本体の前後方向に沿って形成し、前記台車に前記各支持脚の座盤部が載置される載置版部を形成し、前記各座盤部の上面に前記スロットの左右両側にある上面版部の残余部分を対面させたことである。
【発明の効果】
【００１１】
本発明の転倒防止装置では、設置対象区域に機器を搬入する前の段階で左右２本の前記ガイドレールが設置床面の所定位置に固着され、前記各ガイドレールから前方に引き出された左右２本の前記台車の載置版部に機器の前後左右４本の支持脚の前記各座盤部が載せられ、その後、左右２本の前記台車が後方に移動させられて前記各台車が前記各ガイドレール内に格納され、前記ストッパーにより前記各台車の移動が抑止されるものであり、前記各ガイドレールの設置床面に対する固着作業は、当該設置対象区域に作業員が立ち入ることによって十全に行えるため、既設の機器あるいは移動除去できない建造物や構造物が当該設置対象区域の側方に存在していても、それらに邪魔されたり支障を受けることなく、設置工事を作業性良く行える。
【００１２】
また、本発明の転倒防止装置では、前記ガイドレールは設置床面に対してアンカーボルト等によって固着されており、前記台車が前記ガイドレール内に格納されて、前記各支持脚の前記各軸部が前記ガイドレールの前記スロットから直立した状態においては、前記各座盤部の上面に前記スロットの左右両側にある上面版部の残余部分が対面しているため、前後の前記各支持脚は前記台車と前記ガイドレールを介して設置床面に強固に拘束保持されていることになり、大きな外部振動を受けても後方側の支持脚が浮き上がって機器の転倒を招くことがなく、転倒防止効果が大きい。
【実施例】
【００１３】
図示の実施例では、ガイドレール１は金属板のプレス加工によって断面溝型に成形されており、左右起立板部２，３の下端には取付用翼板部４，５が水平に連設され、翼板部４，５には前後複数個のアンカーボルト６，７の挿通用透孔８，９が形成されている。ガイドレース１と設置床面１０の間には、金属板よりなるベース板１１が挿入され、ベース板１１にもアンカーボルト６，７の挿通用透孔１２，１３が形成されている。
ガイドレール１とベース板１１は重ね合せた状態で設置床面１０に載せられ、設置床面１０の所定位置に植設されているアンカーボルト６，７をベース板１１の透孔１２，１３と翼板４，５の透孔８，９に通し、アンカーボルト６，７の突出部分にナット１４，１５を螺合して締付けることによって、設置床面１０に固着される。
【００１４】
台車１６は、金属製溝型材よりなるフレーム部材１７と、フレーム部材１７の左右側版部１８，１９の前方部分内に装着された前方側車輪２０と、該左右側版部１８，１９の後方部分内に装着された後方側車輪２１とで構成されている。前記ベース板１１の前方側端部には、前方側車輪２０が入り込む割溝部２２が形成されており、前方側車輪２０は設置床面１０に直接に接触している。
【００１５】
前記割溝部２２の後端縁部を垂直に切り起こされて、台車１６の押し込み限界を規定する制動突起２３となっており、該制動突起２３の上端縁は、前方側車輪２０の車軸２４のレベルよりも上方に突き出ている。後方側車輪２１は前記ベース板１１の上面に載せられており、後方側車輪２１の車軸２５は前方側車輪２０の車軸２４よりもベース板１１の板厚さ分だけ高いレベルに位置している。
前方側の車軸２４に嵌合された筒状軸受２６は、前記左右側版部１８，１９の軸孔２７に嵌合されている。後方側の車軸２５に嵌合された筒状軸受２８は、前記左右側版部１８，１９の軸孔２９に嵌合されている。
【００１６】
フレーム部材１７の外側には左右一対のカバー板３０，３１が添接され、複数個のビス４４によって前記左右側版部１８，１９に締め付け固着されている。これらカバー板３０，３１によって前記各軸孔からの車軸２４，２５の脱落が阻止されている。前記カバー板３０，３１の前端部３０ａ，３１ｂは内向きに直角に曲げられ、先端面が互いに突きあわされている。同様に前記カバー板３０，３１の後端部３０ｂ，３１ｂもは内向きに直角に曲げられ、先端面が互いに突きあわされている。
フレーム部材１７の上面版部は、支持脚３２の座盤部３３が載置される載置版部３４を構成している。該載置版部３４の前端部は垂直に切り起され、前方側の支持脚３２の座盤部３３が当接可能な制止部３５を形成している。
【００１７】
支持脚３２の軸部３６はレベル調整用ボルトで構成され、機器３７の底部の雌ねじ部３８にねじ込まれている。軸部３６の下端の六角部３９にはスパナなどの回転操作用具が掛けられ、機器底面からの軸部３６の突出長さを増減することによって、機器３７の据付けレベルが調整される。座盤部３３は軸部３６に対して回転可能に連結されている。
ガイドレール１の上面版部４０には、後方領域のみを残して軸部３６の通過用スロット４１が形成されている。該スロット４１の左右両側にある上面版部４０の残余部分４０ａ，４０ｂは、前記座盤部３３に対面しており、座盤部３３の浮き上がりを阻止している。
【００１８】
台車１６のフレーム部材１７の載置版部３４に機器３７の各支持脚３２の座盤部３３を載置してから、台車１６をガイドレール１に向かって移動させ、台車１６をガイドレール１内に格納した後、最終作業として、ガイドレール１の左右起立板部２，３とフレーム部材１７の左右側版部１８，１９を横断して、ボルトよりなるストッパー４２が嵌挿され、抜止め用ナット４３が螺合される。
このボルトよりなるストッパー４２とナット４３は、台車１６の前後移動を阻止するだけでなく、ガイドレール１の左右起立板部２３の外方変位を防ぐ機能も有する。
【００１９】
前記ストッパー４２の取付け作業は、その取付け部位が転倒防止装置の最前端であって、機器３７の底面最前方の空間に指を挿入することによって簡単に行える箇所であることから、既設の機器あるいは移動除去できない建造物や構造物が側方に存在していても作業には支障がない。
【図面の簡単な説明】
【００２０】
【図１】本発明の一実施例に係る転倒防止装置を適用した自動販売機の下方部分の正面図である。
【図２】図１の自動販売機の下方部分の右側面図である。
【図３】図１の転倒防止装置の平面図であり、台車格納状態を示している。
【図４】図１の転倒防止装置の平面図であり、台車引出位置を鎖線で示している。
【図５】図１の自動販売機の前方側の支持脚部分の縦断面図である。
【図６】図１の自動販売機の後方側の前方支持脚部分の縦断面図である。
【符号の説明】
【００２１】
１    ガイドレール
２    ガイドレールの起立板部
３    ガイドレールの起立板部
４    ガイドレールの翼板
５    ガイドレールの翼板
６    アンカーボルト
７    アンカーボルト
８    ボルト用透孔
９    ボルト用透孔
１０    機器の設置床面
１１    ベース板
１２    ベース板のボルト用透孔
１３    ベース板のボルト用透孔
１４    ナット
１５    ナット
１６    台車
１７    台車のフレーム部材
１８    フレーム部材の側版部
１９    フレーム部材の側版部
２０    前方側車輪
２１    後方側車輪
２２    ベース板の割溝部
２３    ベース板の制動突起
２４    前方側車輪の車軸
２５    後方側車輪の車軸
２６    軸受
２７    フレーム部材の軸孔
２８    軸受
２９    フレーム部材の軸受
３０    カバー板
３１    カバー板
３２    支持脚
３３    座盤部
３４    フレーム部材の載置版部
３５    フレーム部材の制止部
３６    支持脚の軸部
３７    機器
３８    雌ねじ部
３９    軸部の六角部
４０    ガイドレールの上面版部
４１    ガイドレールのスロット
４２    ストッパー
４３    ナット
４４    ビス
【図１】
2006146519.tif 000003
【図２】
2006146519.tif 000004
【図３】
2006146519.tif 000005
【図４】
2006146519.tif 000006
【図５】
2006146519.tif 000007
【図６】
2006146519.tif 000008